(57)【要約】【課題】複数方向を照明可能な照明装置を提供する。【解決手段】照明装置は、一方の端面が入射面（１１ａ）として形成され、かつ、入射面（１１ａ）と反対側の先端面（１１ｂ）と入射面（１１ａ）との間の屈曲部（１１ｃ）にて屈曲された導光板（１１）と、入射面（１１ａ）と対向するように配置された光源（１２）とを有する。導光板（１１）は、入射面と屈曲部との間の導光板の第１の面（１１ｄ）に形成された、光源から発して入射面から導光板内に入射した光を反射して、第１の面（１１ｄ）と反対側の第２の面（１１ｆ）から出射させる複数の第１のプリズム（１３）と、先端面と屈曲部との間の導光板の第３の面（１１ｅ）に形成された、光源から発して入射面から導光板内に入射した光を反射して、第３の面（１１ｅ）と反対側の第４の面（１１ｇ）から出射させる複数の第２のプリズム（１４）とを有する。【選択図】図５
2019087401.tif 000002
【特許請求の範囲】
【請求項１】
透明な部材で板状に形成され、一方の端面が入射面として形成され、かつ、前記入射面と反対側の先端面と前記入射面との間の屈曲部にて屈曲された導光板と、
前記入射面と対向するように配置された光源と、
を有し、
前記導光板は、
前記入射面と前記屈曲部との間の前記導光板の第１の面に形成された、前記光源から発して前記入射面から前記導光板内に入射した光を反射して、前記第１の面と反対側の第２の面から出射させる複数の第１のプリズムと、
前記先端面と前記屈曲部との間の前記導光板の第３の面に形成された、前記光源から発して前記入射面から前記導光板内に入射した光を反射して、前記第３の面と反対側の第４の面から出射させる複数の第２のプリズムと、
を有する、
照明装置。
【請求項２】
前記先端面は、前記入射面側を向くようにテーパ状に形成される、請求項１に記載の照明装置。
【請求項３】
前記第３の面は前記屈曲部にて前記導光板が凸となる側の面であり、
前記導光板は、前記第４の面において所定のパターンに沿って配列された、前記導光板内に入射した光を反射して、前記第３の面から出射させることで前記所定のパターンを表示する複数の第３のプリズムをさらに有する、請求項１または２に記載の照明装置。
【請求項４】
前記導光板の前記屈曲部から前記先端面の間における、前記先端面と隣接する前記導光板の側面の一つが第２の入射面として形成され、
前記第２の入射面と対向するように配置される第２の光源をさらに有し、
前記複数の第３のプリズムのそれぞれは、前記第２の光源から発して前記第２の入射面から前記導光板内に入射した光を反射して、前記第３の面から出射させるよう、当該第３のプリズムの反射面が前記第２の光源を向くように配列される、請求項３に記載の照明装置。
【請求項５】
前記光源が発する光の色と前記第２の光源が発する光の色が互いに異なる、請求項４に記載の照明装置。
【請求項６】
前記第３の面は前記屈曲部にて前記導光板が凹となる側の面であり、前記複数の第２のプリズムは所定のパターンに沿って配列される、請求項１または２に記載の照明装置。
【請求項７】
前記第１の面は前記屈曲部にて前記導光板が凹となる側の面である、請求項１〜６の何れか一項に記載の照明装置。
【請求項８】
展示対象物体を載置する載置部と、
前記展示対象物体を照明する照明装置と、
を有し、
前記照明装置は、
透明な部材で板状に形成され、背面側の端面が入射面として形成され、かつ、前記入射面と反対側の先端面と前記入射面との間の屈曲部にて屈曲され、前記入射面から前記屈曲部までの部分が背面側から前面側へ延伸され、かつ、前記先端面と前記屈曲部との間の部分が前記展示対象物体の前面に位置するように配置された導光板と、
前記入射面と対向するように配置された光源と、
を有し、
前記導光板は、
前記入射面と前記屈曲部との間の前記導光板の第１の面に形成された、前記光源から発して前記入射面から前記導光板内に入射した光を反射して、前記第１の面と反対側の第２の面から出射させる複数の第１のプリズムと、
前記先端面と前記屈曲部との間において前記展示対象物体と対向しない側の前記導光板の第３の面に形成された、前記光源から発して前記入射面から前記導光板内に入射した光を反射して、前記第３の面と反対側の第４の面から出射させる複数の第２のプリズムと、
を有する展示装置。
【発明の詳細な説明】
【技術分野】
【０００１】
本発明は、導光板を用いた照明装置、及び、そのような照明装置を有する展示装置に関する。
【背景技術】
【０００２】
自動販売機では、一般に、販売対象とする複数の商品のそれぞれのサンプルを見易くするために、それらサンプルを照明する照明装置が用いられる。例えば、透明な材料により形成されたユニット本体内に互いに異なる方向を向いて設置される二つのＬＥＤを有する照明ユニットを、商品のサンプルが陳列される、上下複数段のサンプル台に設置して、商品のサンプルを上方と下方のそれぞれから照明することが提案されている（例えば、特許文献１を参照）。
【先行技術文献】
【特許文献】
【０００３】
【特許文献１】特開２０１２−２２４８２号公報
【発明の概要】
【発明が解決しようとする課題】
【０００４】
特許文献１に記載された技術によれば、商品のサンプルを上方と下方とから照明することができる。しかし、一般に、自動販売機の利用者は、商品のサンプルを正面側から見るので、商品のサンプルの正面側が照明されることが好ましい。また、商品のサンプルを正面側から照明するために、商品のサンプルの正面側に、ＬＥＤなどの発光素子を配置すると、発光素子及び発光素子が取り付けられる基板などにより、商品のサンプルの一部が隠れてしまい好ましくない。
【０００５】
そこで、本発明は、複数方向を照明可能な照明装置を提供することを目的とする。
【課題を解決するための手段】
【０００６】
本発明の一つの形態として、照明装置が提供される。この照明装置は、透明な部材で板状に形成され、一方の端面が入射面として形成され、かつ、入射面と反対側の先端面と入射面との間の屈曲部にて屈曲された導光板と、入射面と対向するように配置された光源と、を有する。導光板は、入射面と屈曲部との間の導光板の第１の面に形成された、光源から発して入射面から導光板内に入射した光を反射して、第１の面と反対側の第２の面から出射させる複数の第１のプリズムと、先端面と屈曲部との間の導光板の第３の面に形成された、光源から発して入射面から導光板内に入射した光を反射して、第３の面と反対側の第４の面から出射させる複数の第２のプリズムとを有する。
【０００７】
係る構成を有することにより、この照明装置は、複数方向を照明することができる。
【０００８】
またこの照明装置において、導光板の先端面は、入射面側を向くようにテーパ状に形成されることが好ましい。
【０００９】
これにより、この照明装置は、第２の面または第４の面から出射する光だけでなく、導光板の先端面から出射する光により、入射面側に位置する物体を照明できる。
【００１０】
あるいは、この照明装置において、導光板の第３の面は屈曲部にて導光板が凸となる側の面であり、導光板は、第４の面において所定のパターンに沿って配列された、導光板内に入射した光を反射して、第３の面から出射させることで所定のパターンを表示する複数の第３のプリズムをさらに有することが好ましい。
【００１１】
これにより、この照明装置は、複数方向を照明するだけでなく、光って見えるパターンも表示できる。特に、この照明装置は、観察者が第４の面と対向するように配置される照明対象物体を第３の面側から見たときに、その照明対象物体と重畳するように光って見えるパターンを表示できる。
【００１２】
この場合において、導光板の屈曲部から先端面の間における、先端面と隣接する導光板の側面の一つが第２の入射面として形成されることが好ましい。そして照明装置は、第２の入射面と対向するように配置される第２の光源をさらに有し、複数の第３のプリズムのそれぞれは、第２の光源から発して第２の入射面から導光板内に入射した光を反射して、第３の面から出射させるよう、その第３のプリズムの反射面が第２の光源を向くように配列されることが好ましい。
【００１３】
これにより、この照明装置は、パターン表示用と照明用とで異なる光源を利用するので、照明光及びパターンの何れもより明るくすることができる。
【００１４】
この場合において、光源が発する光の色と第２の光源が発する光の色が互いに異なることが好ましい。
【００１５】
これにより、この照明装置は、光って見えるパターンの色を照明に用いられる光の色とを互いに異ならせることができる。
【００１６】
さらに、この照明装置において、導光板の第３の面は屈曲部にて導光板が凹となる側の面であり、複数の第２のプリズムは所定のパターンに沿って配列されることが好ましい。
【００１７】
これにより、この照明装置は、第２の面から出射する光により照明対象物を照明しつつ、第４の出射面から出射する光によりパターンを表示できる。
【００１８】
さらにまた、この照明装置において、第１の面は屈曲部にて導光板が凹となる側の面であることが好ましい。
【００１９】
これにより、この照明装置は、互いに異なる方向を照明できる。
【００２０】
本発明のさらに他の形態として、展示装置が提供される。この展示装置は、展示対象物体を載置する載置部と、展示対象物体を照明する照明装置とを有する。照明装置は、透明な部材で板状に形成され、背面側の端面が入射面として形成され、かつ、入射面と反対側の先端面と入射面との間の屈曲部にて屈曲され、入射面から屈曲部までの部分が背面側から前面側へ延伸され、かつ、先端面と屈曲部との間の部分が展示対象物体の前面に位置するように配置された導光板と、入射面と対向するように配置された光源とを有する。そして導光板は、入射面と屈曲部との間の導光板の第１の面に形成された、光源から発して入射面から導光板内に入射した光を反射して、第１の面と反対側の第２の面から出射させる複数の第１のプリズムと、先端面と屈曲部との間において展示対象物体と対向しない側の導光板の第３の面に形成された、光源から発して入射面から導光板内に入射した光を反射して、第３の面と反対側の第４の面から出射させる複数の第２のプリズムとを有する。
【００２１】
係る構成を有することにより、この展示装置は、展示対象物体を複数の方向から照明できる。さらにこの展示装置は、照明装置の一部により展示対象物体が隠されることを防止しつつ、展示対象物体を前面側から照明することができる。
【図面の簡単な説明】
【００２２】
【図１】本発明の一つの実施形態に係る照明装置が実装された自動販売機の概略斜視図である。
【図２】商品陳列棚が形成された部分に関する、自動販売機の側面断面図である。
【図３】導光板の概略正面図である。
【図４】導光板の概略底面図である。
【図５】図３の矢印ＡＡ’で示される線における、導光板の概略側面断面図である。
【図６】変形例による、導光板の一部を示す概略斜視図である。
【図７】変形例による、導光板の概略側面断面図である。
【発明を実施するための形態】
【００２３】
以下、本発明の実施形態による照明装置を、図を参照しつつ説明する。この照明装置は、光源からの光に対して透明な材料により形成される導光板を有し、その導光板の一つの側面である入射面と対向する光源からの光が、入射面から導光板内に入射して導光板内を伝搬する。導光板は、入射面から所定距離離れた位置にある屈曲部にて屈曲される。そして入射面から屈曲部までの部分、及び、屈曲部から入射面と反対側の端面である先端面までの部分のそれぞれにおいて、導光板のうちの照明対象物と対向しない方の面に、導光板内を伝搬する光源からの光を導光板の照明対象物と対向する方の面から出射させるよう反射する複数のプリズムが形成される。これにより、この照明装置は、複数の方向を照明できる。
なお、以下では、説明の便宜上、観察者と対向する側を正面または前面とし、その反対側を背面とする。
【００２４】
図１は、本発明の一つの実施形態に係る照明装置が実装された自動販売機の概略斜視図である。自動販売機１００は、展示装置の一例であり、前面の上半分に設けられた３段の商品陳列棚１１１と、商品陳列棚１１１のそれぞれの下側に設けられた複数の選択ボタン１１２と、前面に設けられた貨幣投入口１１３と、前面の下側に設けられた商品取り出し口１１４と、釣銭返却口１１５とを有する筐体１１０と、商品陳列棚１１１のそれぞれの下方から前面において設けられた照明装置１２１とを有する。なお、商品陳列棚１１１は、展示対象物体を載置するための載置部の一例である。また、各商品陳列棚１１１には、それぞれ、商品サンブル１３１が載置される。商品サンプル１３１は、展示装置による展示対象物体の一例であり、かつ、照明装置１２１による照明対象物体の一例である。さらに、自動販売機１００は、筐体１１０の内部に、商品陳列棚１１１に陳列された商品サンプル１３１と同種の商品を格納する格納庫（図示せず）と、格納庫から商品取り出し口１１４まで商品を搬送する搬送機構（図示せず）と、自動販売機１００全体を制御する制御回路（図示せず）を有する。制御回路は、貨幣投入口１１３から投入された貨幣を認識するセンサと接続され、投入された貨幣の金額が、選択ボタン１１２のうちの観察者（この例では、自動販売機１００の利用者）により押下された選択ボタンに対応する商品の金額以上であれば、格納庫からその商品を商品取り出し口１１４へ搬送させるよう、搬送機構を制御する。さらに、制御回路は、投入された貨幣の金額が、押下された選択ボタンに対応する商品の金額よりも多い場合、投入された貨幣の金額とその商品の金額との差額を釣銭返却口１１５へ返却する。
【００２５】
図２は、商品陳列棚１１１が形成された部分に関する、自動販売機１００の側面断面図である。なお、照明装置１２１は、何れも同じ構造を有するので、以下では、一つの照明装置について説明する。
【００２６】
図２に示されるように、商品陳列棚１１１のそれぞれごとに、照明装置１２１が設けられる。そして各照明装置１２１は、導光板１１と、光源１２とを有する。
【００２７】
導光板１１は、光源１２から発する光に対して透明な板状に形成された部材である。導光板１１は、例えば、ポリメチルメタクリレート（ＰＭＭＡ）、ポリカーボネート、シクロオレフィンポリマーといった、可視光に対して透明な樹脂を成型することで形成される。導光板１１は、商品陳列棚１１１の下方に沿って略平行に、商品陳列棚１１１の背面側から前面側まで延伸される。そして導光板１１は、商品陳列棚１１１の前面側に位置する屈曲部にて上方へ向けて略直角に屈曲され、商品陳列棚１１１上に設置された商品サンプル１３１の前面側において、筐体１１０の前面と略平行に延伸される。そして導光板１１の背面側の一端は、入射面として形成される。そして入射面と対向するように配置された光源１２から発した光は、入射面から導光板１１内に入射し、導光板１１内を、両側の面でそれぞれ全反射しながら伝搬する。また、商品サンプル１３１と対向しない方の導光板１１の面には、複数のプリズムが形成される。導光板１１内を伝搬する光は、矢印２０１〜２０３に示されるように、各プリズムにより反射されて、あるいは、導光板１１の入射面と反対側の端面である先端面から商品サンプル１３１へ向けて出射する。これにより、照明装置１２１は、商品サンプル１３１を複数方向から照明できる。
なお、導光板１１の詳細については後述する。
【００２８】
光源１２は、可視光を発する複数の発光素子を有する。各発光素子の発光面が導光板１１の入射面と対向するように、各発光素子は、入射面の長手方向に沿って一列に並べて配置される。そして光源１２の各発光素子は、自動販売機１００の制御回路（図示せず）からの制御信号に応じて点灯または消灯する。そして制御回路が光源１２を点灯させている間、光源１２から発した光は、入射面を介して導光板１１内に入射する。
【００２９】
なお、光源１２が有する発光素子は、例えば、発光ダイオード、白熱灯あるいは蛍光灯である。また、光源１２の発光素子が発する光は、白色光であってもよく、あるいは、赤、青、黄などの特定の色を持つ光であってもよい。
【００３０】
以下、導光板１１の詳細について説明する。
【００３１】
図３は、導光板１１の概略正面図である。図４は、導光板１１の概略底面図である。そして図５は、図３の矢印ＡＡ’で示される線における、導光板１１の概略側面断面図である。図４及び図５に示されるように、導光板１１のうちの商品陳列棚１１１の底面に沿って延伸される部分の背面側の端面が、光源１２と対向する入射面１１ａとして形成される。そして導光板１１は、屈曲部１１ｃにて上方へ向けて屈曲される。なお、本実施形態では、入射面１１ａの長手方向とと、屈曲部１１ｃの長手方向とは略平行となるように屈曲部１１ｃは形成される。しかし、入射面１１ａの長手方向とと、屈曲部１１ｃの長手方向とは略平行でなくてもよい。例えば、正面側から見て、左側ほど、入射面１１ａから屈曲部１１ｃまでの間隔が長くなるように、導光板１１は形成されてもよい。また、入射面１１ａから導光板１１が上方へ向けて屈曲する屈曲部１１ｃまでの部分における、導光板１１の上面側、すなわち、下段の商品陳列棚１１１に載置された商品サンプル１３１と対向しない方の第１の拡散面１１ｄには、複数のプリズム１３が形成される。さらに、屈曲部１１ｃから先端面１１ｂまでの部分における、導光板１１の前面側、すなわち、入射面１１ａから屈曲部１１ｃまでの部分の上側に位置する商品陳列棚１１１に載置された商品サンプル１３１と対向しない側、すなわち、屈曲部１１ｃにて導光板１１が凸となる側の第２の拡散面１１ｅにも、複数のプリズム１４が形成される。なお、第１の拡散面１１ｄ全体にわたって複数のプリズム１３が配列されてもよく、あるいは、第１の拡散面１１ｄの一部に複数のプリズム１３が配列されてもよい。同様に、第２の拡散面１１ｅ全体にわたって複数のプリズム１４が配列されてもよく、あるいは、第２の拡散面１１ｅの一部に複数のプリズム１４が配列されてもよい。複数のプリズム１３及び複数のプリズム１４が設けられる位置及び範囲は、照明装置１２１と照明対象物体（この例では、商品サンプル１３１）との位置関係に応じて設定されればよい。
【００３２】
また、屈曲部１１ｃでは、導光板１１に、第１の拡散面１１ｄと反対側に位置し、下段側の商品陳列棚１１１に載置された商品サンプル１３１と対向する第１の出射面１１ｆ、及び、第２の拡散面１１ｅのそれぞれに対して４５°を成すテーパ面が設けられる。このように屈曲部１１ｃが形成されることで、屈曲部１１ｃ近傍における、導光板１１のそれぞれの面に対する導光板１１内を伝搬する光とのなす角が小さくなるので、導光板１１内を伝播する光が屈曲部１１ｃにて導光板１１外へ出射することが抑制される。なお、屈曲部１１ｃでは、第１の出射面１１ｆ及び第２の拡散面１１ｅと連続する、下方側、かつ、前面側の面が、テーパ面状に形成される代わりに、外側へ向けて凸となる円弧状に形成されてもよい。このように、屈曲部１１ｃが円弧状に形成されることで、屈曲部１１ｃ近傍における、導光板１１のそれぞれの面に対する導光板１１内を伝搬する光とのなす角がより小さくなるので、導光板１１内を伝播する光が屈曲部１１ｃにて導光板１１外へ出射することがより抑制される。また、屈曲部１１ｃにおける、第１の拡散面１１ｄと連続する、上方側、かつ、背面側の面も、テーパ状、あるいは、凹状となる円弧状に形成されてもよい。
【００３３】
さらに、導光板１１の入射面１１ａと反対側の先端面１１ｂは、前面側よりも背面側の方が低くなり、先端面１１ｂが、入射面１１ａ側、すなわち、背面側を向くテーパ状に形成されることが好ましい。これにより、導光板１１内を伝搬し、先端面１１ｂに達した光のうち、先端面１１ｂから商品サンプル１３１の方へ向けて出射する光の割合が増加する。
【００３４】
光源１２からの光は、入射面１１ａから導光板１１の内部に入射する。そして導光板１１の内部を全反射しながら伝搬した、光源１２からの光の一部は、入射面１１ａから屈曲部１１ｃまでの部分における、導光板１１の上面側に位置する第１の拡散面１１ｄに形成された、複数のプリズム１３にて全反射された後、第１の拡散面１１ｄの反対側の面であり、かつ、下段側の商品陳列棚１１１に載置された商品サンプル１３１と面する第１の出射面１１ｆから出射する。そしてその出射した光は、下段側の商品陳列棚１１１に載置された商品サンプル１３１を上方から照明する。
【００３５】
また、入射面１１ａから導光板１１内に入射した、光源１２からの光の他の一部は、導光板１１内を全反射しながら屈曲部１１ｃを経て、屈曲部１１ｃと先端面１１ｂ間の部分に達する。屈曲部１１ｃと先端面１１ｂ間の部分に達した光は、導光板１１の前面側に位置する第２の拡散面１１ｅに形成された、複数のプリズム１４にて全反射された後、第２の拡散面１１ｅの反対側の面であり、かつ、入射面１１ａから屈曲部１１ｃまでの部分の上側に位置する商品陳列棚１１１に載置された商品サンプル１３１と面する第２の出射面１１ｇから出射する。そしてその出射した光は、その商品陳列棚１１１に載置された商品サンプル１３１を前面側から照明する。
【００３６】
さらに、導光板１１を出射せずに先端面１１ｂに達した光の少なくとも一部は、先端面１１ｂから出射する。そして先端面１１ｂから出射する光の一部は、入射面１１ａから屈曲部１１ｃまでの部分の上側に位置する商品陳列棚１１１に載置された商品サンプル１３１を前面側から照明する。なお、先端面１１ｂから出射した光は、第２の出射面１１ｇから出射した光が照明する範囲よりも上方の範囲を照明できる。
【００３７】
複数のプリズム１３のそれぞれは、例えば、第１の拡散面１１ｄにおいて所定の長さを持つ略三角形状の溝として形成される。所定の長さは、例えば、数10μm〜数100μm程度に設定される。そして複数のプリズム１３のそれぞれは、第１の拡散面１１ｄに対して所定の角度（以下、傾斜角度と呼ぶ）をなし、導光板１１内に入射した、光源１２からの光を全反射して第１の出射面１１ｆから出射させる反射面１３ａを有する。
【００３８】
各プリズム１３は、反射面１３ａが光源１２の方を向くように、すなわち、第１の拡散面１１ｄと平行な面について、その反射面１３ａが入射面１１ａの長手方向と略平行となるように配置されればよい。あるいは、様々な方向から、第１の出射面１１ｆよりも下側に位置する商品サンプル１３１を照明可能なように、各プリズム１３の反射面１３ａの正対方向と、入射面１１ａの法線とのなす角が、プリズム１３ごとにランダムに設定されてもよい。
【００３９】
また、複数のプリズム１３は、第１の拡散面１１ｄにおいて千鳥足状、格子状あるいは、プリズム１３の配置密度が一定となるようにランダムに配置される。なお、照明される位置により明るさを変える場合には、明るい部分ほど、プリズム１３の配置密度が高くなるように、第１の拡散面１１ｄでの位置ごとにプリズム１３の配置密度が調整されてもよい。例えば、商品サンプル１３１は、その背面側よりも前面側が照明される方が好ましい。そこで、屈曲部１１ｃに近い位置ほどプリズム１３の配置密度が高くなるように、各プリズム１３は配置されてもよい。
【００４０】
同様に、複数のプリズム１４のそれぞれは、例えば、第２の拡散面１１ｅにおいて所定の長さを持つ略三角形状の溝として形成される。所定の長さは、例えば、数10μm〜数100μm程度に設定される。そして複数のプリズム１４のそれぞれは、第２の拡散面１１ｅに対して所定の傾斜角度をなし、導光板１１内に入射した、光源１２からの光を全反射して第２の出射面１１ｇから出射させる反射面１４ａを有する。
【００４１】
各プリズム１４は、第２の拡散面１１ｅと平行な面について、その反射面１４ａが屈曲部１１ｃの長手方向と略平行となるように配置されればよい。あるいは、様々な方向から、第２の出射面１１ｇよりも背面側に位置する商品サンプル１３１を照明可能なように、各プリズム１４の反射面１４ａの正対方向と、反射面１４ａから鉛直下方へ向かう方向とのなす角が、プリズム１４ごとにランダムに設定されてもよい。
【００４２】
また、複数のプリズム１４は、第２の拡散面１１ｅにおいて千鳥足状、格子状あるいは、プリズムの配置密度が一定となるようにランダムに配置される。なお、照明される位置により明るさを変える場合には、明るい部分ほど、プリズム１４の配置密度が高くなるように、第２の拡散面１１ｅでの位置ごとにプリズム１４の配置密度が調整されてもよい。例えば、商品サンプル１３１の下側よりも上側の方を明るくしたい場合には、先端面１１ｂに近い位置ほどプリズム１４の配置密度が高くなるように、各プリズム１４は配置されてもよい。さらに、第１の出射面１１ｆから出射する光の光量と、第２の出射面１１ｇから出射する光の光量の比に応じて、第１の拡散面１１ｄにおけるプリズム１３の配置密度と、第２の拡散面１１ｅにおけるプリズム１４の配置密度とが調整される。例えば、第１の出射面１１ｆから出射する光の光量よりも第２の出射面１１ｇから出射する光の光量の方が多くなるようにする場合には、第１の拡散面１１ｄにおけるプリズム１３の配置密度よりも第２の拡散面１１ｅにおけるプリズム１４の配置密度の方が高くなるように、各プリズム１３及び各プリズム１４は配置されればよい。
【００４３】
なお、図４及び図５において、図の見易さの向上のために、各プリズム１３及び各プリズム１４のサイズ及び導光板１１の厚さなどは誇張されている点に留意されたい。
【００４４】
以上に説明してきたように、この照明装置では、導光板が途中の屈曲部にて屈曲され、入射面から屈曲部までの部分と、屈曲部から先端面までの部分とのそれぞれにおいて、導光板内を伝搬する光を照明対象物体の方へ向けて反射する複数のプリズムが配置される。そのため、この照明装置は、様々な方向を照明できる。特に、この照明装置は、屈曲部と先端面間の部分が、照明対象物体の前面側に位置するように配置されることで、照明対象物体を前面側から照明できる。その場合も、導光板が透明であるため、観察者が前面側から照明対象物体を見る場合に、照明装置がその物体を隠してしまうことを防止できる。
【００４５】
なお、変形例によれば、導光板に、前面側へ向けて光って見えるパターンを表示するよう、そのパターンに沿って配列される複数のプリズムが設けられてもよい。
【００４６】
図６は、この変形例による、導光板の一部を示す概略斜視図である。図７は、この変形例による、導光板の概略側面断面図である。この変形例では、導光板１１の第２の出射面１１ｇに、表示するパターンを表す複数のプリズムが設けられる点で、上記の実施形態と相違する。そのため、以下では、この相違点について説明する。
【００４７】
この変形例では、導光板１１を正面側から見たときに、光って見えるパターン２１が表示される。そこで、パターン２１を形成するように、第２の出射面１１ｇにおいてパターン２１に沿って配列される複数のプリズム１５が設けられる。そして導光板１１内を全反射しながら伝搬する、光源１２からの光の一部は、複数のプリズム１５にて全反射された後、第２の拡散面１１ｅから正面側へ向けて出射する。したがって、観察者は、光源１２が点灯している間、商品サンプル１３１の前面側に位置する、導光板１１の第２の拡散面１１ｅにおいて発光して見えるパターン２１を、商品サンプル１３１とともに視認できる。
【００４８】
複数のプリズム１５は、パターン２１内において千鳥足状、格子状あるいは、プリズム１５の配置密度がパターン２１内で一定となるようにランダムに配置される。なお、パターン２１内で明暗を設ける場合には、パターン２１中の明るい部分ほど、プリズム１５の配置密度が高くなるように、パターン２１内での位置ごとにプリズム１５の配置密度が調整されてもよい。
【００４９】
複数のプリズム１５のそれぞれは、各プリズム１３及び各プリズム１４と同様に、例えば、第２の出射面１１ｇにおいて所定の長さを持つ略三角形状の溝として形成される。所定の長さは、パターン２１内に複数のプリズム１５が配置できる程度の長さ、例えば、数10μm〜数100μm程度に設定される。そして複数のプリズム１５のそれぞれは、第２の出射面１１ｇに対して所定の傾斜角度をなし、導光板１１内を伝搬する、光源１２からの光を全反射して第２の拡散面１１ｅから出射させる反射面１５ａを有する。なお、各プリズム１５は、例えば、その反射面１５ａが鉛直下方へ向くように配置されればよい。あるいは、様々な方向からパターン２１を視認可能なように、各プリズム１５の反射面１５ａの正対方向と、反射面１５ａから鉛直下方へ向かう方向とのなす角が、プリズム１５ごとにランダムに設定されてもよい。
【００５０】
さらに、第２の出射面１１ｇから出射する光の光量と、第２の拡散面１１ｅから出射する、パターン２１を表示するための光の光量の比に応じて、第２の拡散面１１ｅにおけるプリズム１４の配置密度と、第２の出射面１１ｇにおけるプリズム１５の配置密度とが調整される。例えば、第２の出射面１１ｇから出射する光の光量よりも第２の拡散面１１ｅから出射する光の光量の方が多くなるようにする場合には、第２の拡散面１１ｅにおけるプリズム１４の配置密度よりも第２の出射面１１ｇにおけるプリズム１５の配置密度の方が高くなるように、各プリズム１４及び各プリズム１５は配置されればよい。また、パターン２１を見易くするために、導光板１１を正面側から見たときに、第２の拡散面１１ｅのうち、パターン２１と重なる領域には、プリズム１４は配置されないようにしてもよい。
【００５１】
この変形例によれば、照明装置は、共通の光源を用いて、様々な方向を照明しつつ、観察者に対して光って見えるパターンを表示できる。特に、この照明装置は、照明対象となる物体の前面側に位置する部分において、導光板の一方の面からは、その物体を照明する光を発し、導光板の他方の面からは、観察者に対して光って見えるパターンを表示できる。そのため、この照明装置は、照明対象となる物体を明るくしつつ、その物体と重畳して見えるようにパターンを表示できる。
【００５２】
なお、この変形例において、パターン２１用の光源が、照明用の光源１２と別個に設けられてもよい。例えば、導光板１１の屈曲部１１ｃから先端面１１ｂの間の部分についての一方の側面が第２の入射面として形成され、第２の入射面と対向するように第２の光源１６が設けられてもよい。なお、第２の光源１６は、第２の入射面の長手方向に沿って一列に並べられた複数の発光素子を有してもよい。そして各発光素子は、光源１２が有する発光素子と同様に、例えば、発光ダイオード、白熱灯あるいは蛍光灯とすることができる。
【００５３】
この場合には、第１の光源１２から発して導光板１１内に入射した光の伝搬方向と、第２の光源１６から発して第２の入射面から導光板１１内に入射した光の伝搬方向とは互いに異なる。そこで、反射面１５ａが、第２の光源１６と正対するように、各プリズム１５を配置することで、各プリズム１５は、第２の光源１６から発して導光板１１内に入射した光を、前面側へ向けて、すなわち、第２の拡散面１１ｅから観察者の方へ向けて出射させることができる。
【００５４】
この変形例によれば、発光して見えるパターン用の光源が照明用の光源と別個に用意されるので、照明装置は、第２の出射面１１ｇから出射する照明用の光の光量と、第２の拡散面１１ｅから出射するパターン表示用の光の光量の何れも増加させることができる。
【００５５】
なお、光源１２が有する各発光素子が発する光の色と、第２の光源１６が有する各発光素子が発する光の色は、同じであってもよく、あるいは、互いに異なっていてもよい。光源１２が有する各発光素子が発する光の色と、第２の光源１６が有する各発光素子が発する光の色が互いに異なる場合には、照明装置は、照明光の色と異なる色のパターンが照明対象となる物体と重畳されるように観察者に見せることができる。
【００５６】
さらに、この変形例において、複数のプリズム１４は省略されてもよい。この場合、第２の出射面１１ｇから商品サンプル１３１へ向けて出射する光が無くなるため、パターンの後方が暗くなるので、観察者は、パターンを視認し易くなる。またこの場合でも、照明装置は、正面側から見えるパターンを表示しつつ、第１の出射面１１ｆから出射する光により、下方に位置する商品サンプル１３１を照明できる。
【００５７】
また他の変形例によれば、導光板１１の入射面１１ａと光源１２との間に、光源１２から発した光を平行光化するコリメートレンズが配置されてもよい。この場合には、光源１２から発してコリメートレンズにより平行光化された光は、導光板１１内においても、入射面１１ａの長手方向にはあまり拡がらずに伝搬する。そのため、各プリズム１３は、第１の拡散面１１ｄと平行な面について、その反射面１３ａが入射面１１ａの長手方向と略平行となるように配置されればよい。同様に、各プリズム１４は、第２の拡散面１１ｅと平行な面について、その反射面１４ａが第１の拡散面１１ｄと略平行となるように配置されればよい。
【００５８】
さらに他の変形例によれば、導光板１１は、屈曲部１１ｃにて、上方へ向けて屈曲される代わりに、下方へ向けて屈曲されてもよい。この場合には、照明装置１２１は、下段側の商品陳列棚１１１に載置された商品サンプル１３１を前面側と上面側とから照明できる。あるいはまた、第１の拡散面１１ｄと第１の出射面１１ｆとは入れ替えられてもよい。すなわち、複数の第１のプリズム１３が形成される第１の拡散面１１ｄが下側の面となり、かつ、第１の出射面１１ｆが上側の面となるように、導光板１１は形成されてもよい。この場合、商品陳列棚１１１が透明な部材で形成されることで、照明装置１２１は、商品サンプル１３１と前面側と底面側とから照明することができる。
【００５９】
さらに他の変形例によれば、導光板は平板状に形成されてもよい。この場合には、例えば、導光板は、筐体１１０の前面と略平行、かつ、商品陳列棚１１１及び商品サンプル１３１の前面側に配置されればよい。そして例えば、導光板の下側の端面が入射面として形成され、その入射面と対向するように光源が配置されればよい。そして導光板の商品サンプルと対向しない方の面には、上記の実施形態または変形例における第２の拡散面と同様に、導光板内を伝搬する光源からの光を、商品サンプルと対向する側の面から商品サンプルへ向けて出射させる複数のプリズムが配置されればよい。また、商品サンプルと対向する側の面には、上記の変形例における第２の出射面と同様に、表示するパターンに沿って配列され、導光板内を伝搬する光源からの光を、商品サンプルと対向しない側の面から観察者の方へ向けて出射させる複数のプリズムが配置されればよい。
この変形例でも、照明装置は、共通の光源を用いて、商品サンプルを照明しつつ、観察者に対して光って見えるパターンを表示できる。
【００６０】
このように、当業者は、本発明の範囲内で、実施される形態に合わせて様々な変更を行うことができる。
【符号の説明】
【００６１】
１００    自動販売機
１１０    筐体
１１１    商品陳列棚
１１２    選択ボタン
１１３    貨幣投入口
１１４    商品取り出し口
１１５    釣銭返却口
１２１    照明装置
１３１    商品サンプル
１１    導光板
１１ａ    入射面
１１ｂ    先端面
１１ｃ    屈曲部
１１ｄ    第１の拡散面
１１ｅ    第２の拡散面
１１ｆ    第１の出射面
１１ｇ    第２の出射面
１２、１６    光源
１３、１４、１５    プリズム
１３ａ、１４ａ、１５ａ    反射面
２１    パターン
【図１】
2019087401.tif 000003
【図２】
2019087401.tif 000004
【図３】
2019087401.tif 000005
【図４】
2019087401.tif 000006
【図５】
2019087401.tif 000007
【図６】
2019087401.tif 000008
【図７】
2019087401.tif 000009
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
透明な部材で板状に形成され、一方の端面が入射面として形成され、かつ、前記入射面と反対側の先端面と前記入射面との間の屈曲部にて屈曲された導光板と、
前記入射面と対向するように配置された光源と、
を有し、
前記導光板は、
前記入射面と前記屈曲部との間の前記導光板の第１の面に形成された、前記光源から発して前記入射面から前記導光板内に入射した光を反射して、前記第１の面と反対側の第２の面から出射させる複数の第１のプリズムと、
前記先端面と前記屈曲部との間の、前記屈曲部にて前記導光板が凸となる側の前記導光板の第３の面に形成された、前記光源から発して前記入射面から前記導光板内に入射した光を反射して、前記第３の面と反対側の第４の面から出射させる複数の第２のプリズムと、
前記第４の面において所定のパターンに沿って配列された、前記導光板内に入射した光を反射して、前記第３の面から出射させることで前記所定のパターンを表示する複数の第３のプリズムと、
を有する、
照明装置。
【請求項２】
前記先端面は、前記入射面側を向くようにテーパ状に形成される、請求項１に記載の照明装置。
【請求項３】
前記導光板の前記屈曲部から前記先端面の間における、前記先端面と隣接する前記導光板の側面の一つが第２の入射面として形成され、
前記第２の入射面と対向するように配置される第２の光源をさらに有し、
前記複数の第３のプリズムのそれぞれは、前記第２の光源から発して前記第２の入射面から前記導光板内に入射した光を反射して、前記第３の面から出射させるよう、当該第３のプリズムの反射面が前記第２の光源を向くように配列される、請求項１に記載の照明装置。
【請求項４】
前記光源が発する光の色と前記第２の光源が発する光の色が互いに異なる、請求項３に記載の照明装置。
【請求項５】
前記第１の面は前記屈曲部にて前記導光板が凹となる側の面である、請求項１〜４の何れか一項に記載の照明装置。
【請求項６】
展示対象物体を載置する載置部と、
前記展示対象物体を照明する照明装置と、
を有し、
前記照明装置は、
透明な部材で板状に形成され、背面側の端面が入射面として形成され、かつ、前記入射面と反対側の先端面と前記入射面との間の屈曲部にて屈曲され、前記入射面から前記屈曲部までの部分が背面側から前面側へ延伸され、かつ、前記先端面と前記屈曲部との間の部分が前記展示対象物体の前面に位置するように配置された導光板と、
前記入射面と対向するように配置された光源と、
を有し、
前記導光板は、
前記入射面と前記屈曲部との間の前記導光板の第１の面に形成された、前記光源から発して前記入射面から前記導光板内に入射した光を反射して、前記第１の面と反対側の第２の面から出射させる複数の第１のプリズムと、
前記先端面と前記屈曲部との間において前記展示対象物体と対向しない側の前記導光板の第３の面に形成された、前記光源から発して前記入射面から前記導光板内に入射した光を反射して、前記第３の面と反対側の第４の面から出射させる複数の第２のプリズムと、
前記第４の面において所定のパターンに沿って配列された、前記導光板内に入射した光を反射して、前記第３の面から出射させることで前記所定のパターンを表示する複数の第３のプリズムと、
を有する展示装置。